(57)【要約】【課題】接続部の高さが低く、着脱が容易で、しかも線心数のいかんに拘らず適用可能な多心絶縁電線の接続方法およびフレキシブル回路基板の接続部を提供する。【解決手段】複数の導体を所定の絶縁間隔をおいて同一ピッチで並列させ少なくとも一方の側を覆う共通の絶縁層を設けた多心絶縁電線を互いに接続する方法において、接続すべき多心絶縁電線の導体を露出させた端縁に、それぞれファスナーを構成する同形の導電性のエレメントと電気絶縁性のエレメントを、前記導体に前記導電性のエレメントが取着され、かつ隣接する導体間には各導体を電気的に絶縁する少なくとも一つの前記絶縁性のエレメントが介在するようにしてそれぞれ同一ピッチで取着する工程と、前記接続すべき一組の各多心絶縁電線の前記端縁を、接続すべき導体を対応させて並列させ、各多心絶縁電線のエレメントをスライダで係合させる工程とを有することを特徴としている。【選択図】図１
2005093140.tif 000002
【特許請求の範囲】
【請求項１】
複数の導体を所定の絶縁間隔をおいて同一ピッチで並列させ少なくとも一方の側を覆う共通の絶縁層を設けた多心絶縁電線を互いに接続する方法において、
接続すべき多心絶縁電線の導体を露出させた端縁に、それぞれファスナーを構成する同形の導電性のエレメントと電気絶縁性のエレメントを、前記導体に前記導電性のエレメントが取着され、かつ隣接する導体間には各導体を電気的に絶縁する少なくとも一つの前記絶縁性のエレメントが介在するようにしてそれぞれ同一ピッチで取着する工程と、
前記接続すべき一組の各多心絶縁電線の前記端縁を、接続すべき導体を対応させて並列させ、各多心絶縁電線のエレメントをスライダで係合させる工程と
を有することを特徴とする多心絶縁電線の接続方法。
【請求項２】
接続すべき複数のフレキシブル回路基板の導体パターンを露出させた端縁に、ファスナーを構成する導電性のエレメントと電気絶縁性のエレメントを、前記導体パターンに前記導電性のエレメントが取着され、かつ隣接する導体間には各導体を電気的に絶縁する少なくとも一つの前記絶縁性のエレメントが介在するようにしてそれぞれ同一ピッチで取着して、前記接続すべき一組のフレキシブル回路基板の前記端縁を、接続すべき導体パターンを対応させて並列させ、各フレキシブル回路基板のエレメントをスライダで係合させてなることを特徴とするフレキシブル回路基板の接続部。
【発明の詳細な説明】
【技術分野】
【０００１】
本発明は、多心絶縁電線の接続方法およびフレキシブル回路基板の接続部に係り、特に、接続作業が容易で、接続部の厚さを薄くすることができ、線心数の多少にかかわらず適用可能な多心絶縁電線の接続方法およびフレキシブル回路基板の接続部に関する。
【背景技術】
【０００２】
一般に、フレキシブル回路基板は、１２〜１００ミクロン程度の厚さのポリイミドフィルムのような可撓性の電気絶縁性プラスチックフィルムに５〜７０ミクロン程度の厚さの銅箔を貼着した総厚を５０〜３００ミクロン程度とした銅張り絶縁フィルムに、エッチングにより導体パターンを形成したもので、小型で軽量なところから、各種の電気・電子機器の信号ラインや電源ラインに広く使用されている。
【０００３】
通常、フレキシブル回路基板は、機器側の端子や機器に接続された他のフレキシブル回路基板に接続して接続導体として使用される。
【０００４】
ところで、フレキシブル回路基板を他のフレキシブル回路基板に接続する場合には、接続すべきフレキシブル回路基板の端部の導体を露出しコネクタに挿入して、スプリングやクリップあるいはネジで露出した導体をコネクタの接続端子に押圧固定して電気的、機械的に接続することが行われている。
【発明の開示】
【発明が解決しようとする課題】
【０００５】
しかしながら、このようなコネクタを用いたフレキシブル回路基板の接続部では、フレキシブル回路基板の端末処理やコネクタへの装着が繁雑な上に、コネクタの高さが高いため、機器の小形化の障害になるという問題があった。
【０００６】
また、フレキシブル回路基板の接続部の着脱が頻繁に行われる場合には、着脱操作が繁雑なため作業に長時間を要するという問題もあった。
【０００７】
さらに、従来のコネクタは、線心数に応じて設計されているため、フレキシブル回路基板の線心数に応じて、それぞれ対応するコネクタを用意しなければならないという問題もあった。
【０００８】
本発明は、かかる従来の難点を解消すべくなされたもので、接続部の高さが低く、着脱が容易で、しかも線心数のいかんに拘らず適用可能な多心絶縁電線の接続方法およびフレキシブル回路基板の接続部を提供することを目的とする。
【課題を解決するための手段】
【０００９】
本発明の多心絶縁電線の接続方法は、複数の導体を所定の絶縁間隔をおいて同一ピッチで並列させ少なくとも一方の側を覆う共通の絶縁層を設けた多心絶縁電線を互いに接続する方法において、接続すべき多心絶縁電線の導体を露出させた端縁に、それぞれファスナーを構成する同形の導電性のエレメントと電気絶縁性のエレメントを、前記導体に前記導電性のエレメントが取着され、かつ隣接する導体間には各導体を電気的に絶縁する少なくとも一つの前記絶縁性のエレメントが介在するようにしてそれぞれ同一ピッチで取着する工程と、前記接続すべき一組の各多心絶縁電線の前記端縁を、接続すべき導体を対応させて並列させ、各多心絶縁電線のエレメントをスライダで係合させる工程とを有することを特徴としている。
【００１０】
また、本発明のフレキシブル回路基板の接続部は、接続すべき複数のフレキシブル回路基板の導体パターンを露出されせた端縁に、ファスナーを構成する導電性のエレメントと電気絶縁性のエレメントを、前記導体パターンに前記導電性のエレメントが取着され、かつ隣接する導体間には各導体を電気的に絶縁する少なくとも一つの前記絶縁性のエレメントが介在するようにしてそれぞれ同一ピッチで取着して、前記接続すべき一組のフレキシブル回路基板の前記端縁を、接続すべき導体パターンを対応させて並列させ、各フレキシブル回路基板のエレメントをスライダで係合させてなることを特徴としている。
【００１１】
本発明において、導電性のエレメントと電気絶縁性のエレメントの大きさや配列は、接続すべき多心絶縁電線やフレキシブル回路基板の導体幅や導体間隔によって、例えば次のように、任意に設定することができる。  
１）導電性のエレメントが導体上に、電気絶縁性のエレメントが導体間にそれぞれ配置されるように導電性のエレメントと電気絶縁性のエレメントを１個ずつ交互に取着する。
２）導体上に複数の導電性のエレメントが位置し、導体間に１個の絶縁性のエレメントが位置するように配置するか、導体上に１個の導電性のエレメントが位置し、導体間に複数個の絶縁性のエレメントが位置するように配置する。
３）導体上に複数個の導電性のエレメント、導体間にも複数個の絶縁性のエレメントが位置するように配置する。
【００１２】
なお、エレメントの幅に比べて導体幅と導体間隔が非常に大きい場合には、導電性のエレメントと電気絶縁性のエレメントを１個ずつ、又は数個ずつ交互に取着することも可能である。
【００１３】
また、接続する必要がない導体が端縁に露出する場合には、その導体上に絶縁性のエレメントを取着するようにしてもよい。  
ただし、いずれの場合にも各エレメントは全体として同一ピッチで取着されることが必要である。
【発明の効果】
【００１４】
以上の実施例からも明らかなように、本発明の接続部は、着脱が容易であり、かつ別にコネクタを使用しないので接続部を小形化することができ、しかも線心数の多少にかかわらず適用することが可能である。
【発明を実施するための最良の形態】
【００１５】
以下に、本発明の実施の形態について説明する。
【実施例１】
【００１６】
図１〜３は、本発明をフレキシブル回路基板の接続に適用した例を概略的に示したものである。  
同図に示すように、フレキシブル回路基板回路基板１，２は、ポリイミド系樹脂フィルムのような可撓性の良好なプラスチックフィルム３の片面に公知のパターン形成技術により銅箔からなる導体パターン４を複数本等間隔で平行に形成して構成されている。
【００１７】
これらの回路基板１，２には、各導体パターン４とほぼ直交させて接続すべき端縁１ａ，２ａが直線的に形成されている。
【００１８】
これらの端縁１ａ，２ａには、導体パターン４の幅の１／２より小さい幅のファスナー用のエレメント５が等間隔で取着されている。これらのエレメント５は、銅合金又は硬質の導電性プラスチックからなる導電性のエレメント５ａと硬質プラスチックからなる電気絶縁性のエレメント５ｂとからなり、導体パターン４上には導電性のエレメント５ａの複数個が、導体パターン４間のプラスチックフィルム３上には、電気絶縁性のエレメント５ｂの複数個がそれぞれ等間隔で取着されている。
【００１９】
各エレメント５は、通常のファスナーにおけるエレメントの取着と同様に、銅合金製のものはコ字状のエレメントでフレキシブル回路基板１，２の端縁を等間隔で順次挟持させる方法で、プラスチック性の場合には、金型を用いた射出成型等の方法で、それぞれフレキシブル回路基板１，２の端縁に形成されている。
【００２０】
これらのエレメント５は、フレキシブル回路基板１，２の端縁を、接続すべき導体パターン４を突き合わせるようにして並列させ、スライダ６により通常のファスナーを係合させる方法で係合されている。
【００２１】
このようにして各エレメント５が互いに係合されたフレキシブル回路基板１，２は、接続すべき導体パターン４どうしが導電性のエレメント５ａにより電気的に接続されるとともに隣接する導体間は電気絶縁性のエレメント５ｂにより絶縁されて各導体パターンがそれぞれ独立的に対応する導体パターンと接続される。
【実施例２】
【００２２】
図３は、強靭な織布１１を補強芯として、表面に、絶縁性のゴム又は可撓性の良好なプラスチックのコーティングによって絶縁被膜１２を形成し、この絶縁被膜１２上に長さ方向と直交して等間隔で導体パターン１３が形成された補助テープ１４を用いた実施例である。導体パターン１３は、銅箔又は導電塗料のいずれによって形成してもよい。
【００２３】
この補助テープ１４の一方の側縁には、図１と同様にして導電性のエレメント１５ａと電気絶縁性のエレメント１５ｂからなる多数のエレメント１５が等間隔で取着され、他方の側縁には、この補助テープ１４の導体パターン１３と等ピッチの導体パターン１６をもつフレキシブル回路基板１７が導体パターン１３、１６を重ねて接続されている。
【００２４】
補助テープ１４とフレキシブル回路基板１７の導体パターン１３、１６は、異方性導電接着剤等を用いて隣接する導体パターンから電気的に独立した状態で一体に接着されている。  
対応するフレキシブル回路基板どうしの接続は、実施例１と同様にして行われる。
【００２５】
この実施例のフレキシブル回路基板接続部は、補助テープ１４が可撓性に優れ＜かつ強靭であるので、着脱が頻繁に行われるフレキシブル回路基板の接続部に適している。
【００２６】
以上は、フレキシブル回路基板の接続に本発明を適用した例であるが、本発明
はかかる実施例に限定されるものではなく、機器の接続に多用されているフラットケーブルのような複数の導体を所定の絶縁間隔をおいて同一ピッチで並列させ共通の絶縁被覆を設けた多心絶縁電線にも同様に適用することが可能である。
【図面の簡単な説明】
【００２７】
【図１】本発明の一実施例を概略的に示す斜視図。
【図２】本発明の一実施例のエレメントの取着部を模式的に示す断面図。
【図３】本発明の一実施例に用いるスライダをに示す斜視図。
【図４】本発明の他の実施例の接続部を模式的に示す断面図。
【符号の説明】
【００２８】
１，２…フレキシブル回路基板回路基板、３…プラスチックフィルム、４…導体パターン、５…エレメン、５ａ…導電性のエレメント、５ｂ…電気絶縁性のエレメント、１１…織布、１２…絶縁被膜、１３…導体パターン、１４…補助テープ、１５…エレメント、１５ａ…導電性のエレメント、１５ｂ…電気絶縁性のエレメント、１６…導体パターン
【図１】
2005093140.tif 000003
【図２】
2005093140.tif 000004
【図３】
2005093140.tif 000005
【図４】
2005093140.tif 000006